(57)【要約】【課題】電子機器収納ラックに収納された電子機器に、電気的ノイズが伝播しない構造を有した電子機器収納ラックを提案する。【解決手段】接地された外体部２とこの外体部２に内包された内体部３とを有する電子機器収納ラック１において、内体部３は電子機器を載置する棚板５と、棚板５を支持するための支柱４とを含み、棚板５及び支柱４のうち少なくとも一方は絶縁体であること及び前記絶縁体は塩化ビニル樹脂からなることを特徴とする電子機器収納ラックを提供する。また、必要部材を有効利用することにより、組み立て簡易性も有する。【選択図】      図１
0003114421.tif 000002
【実用新案登録請求の範囲】
【請求項１】
電子機器を載置する棚板と、この棚板を支持する支柱とを備える電子機器収納ラックにおいて、
前記棚板および前記支柱のうち少なくとも一方は絶縁体であることを特徴とする、電子機器収納ラック。
【請求項２】
接地された外体部とこの外体部に内包された内体部とを有する電子機器収納ラックにおいて、
前記内体部は、電子機器を載置する棚板と、前記棚板を支持するための支柱とを含み、前記棚板および前記支柱のうち少なくとも一方は絶縁体であることを特徴とする、電子機器収納ラック。
【請求項３】
前記絶縁体は塩化ビニル樹脂からなることを特徴とする請求項１又は請求項２に記載の電子機器収納ラック。
【考案の詳細な説明】
【技術分野】
【０００１】
本考案は、電気的ノイズを遮断する電子機器収納ラックの構造に関する。
【背景技術】
【０００２】
従来の電子機器収納ラックには、周辺の電子機器等から発生し、地中を伝わってくる電気的ノイズが、前記電子機器収納ラック内の電子機器に及ぼす悪影響を防止するために、以下のような構造があった。
【０００３】
例えば、（例１）縦柱体からなる電子機器収納ラックの底面の四隅に、ポリカーボネート等の絶縁体からなるレベルフットを設けて、前記電子機器収納ラック全体を地面から浮かせた格好とすることで、地中からの電気的ノイズが前記電子機器収納ラック内の電子機器に伝わらない構造としたものがある。そして、安全を目的とした法令に適合するように、前記電子機器収納ラックが接地されている必要があるため、前記電子機器収納ラックにはアースラインが接続されている。
【０００４】
しかし、この構造ではアースラインを伝わってくる電気的ノイズを遮断することはできなかった。そこで、（例２）電子機器収納ラックを外体部及び内体部からなる二重構造とし、前記外体部及び前記内体部の間に板状の絶縁体部材を介在させることで、地中やアースラインからの電気的ノイズを遮断する構造としているものがある（特開平１１−８７９８１号公報参照）。
【考案の開示】
【考案が解決しようとする課題】
【０００５】
しかしながら、（例２）においても、電子機器収納ラック内の電子機器から発生する電気的ノイズが、内体部を介して前記電子機器収納ラック内の他の電子機器に伝播するため、この電気的ノイズから前記電子機器収納ラック内の電子機器相互の悪影響を防止することはできなかった。また、外体部と内体部の間に板状の絶縁体部材を介在させる構造とすることで、組立時に手間がかかり面倒であるという問題があった。また、外気温の影響によっては結露等のおそれもあるため、電子機器に接することがある内体部には金属部材の使用は極力避けたほうが好ましい。
【０００６】
このような観点から、本考案は、電子機器収納ラック外部の電子機器等により発生した電気的ノイズが、前記電子機器収納ラック内の電子機器に伝播することを防止すると共に、前記電子機器収納ラック内の電子機器等により発生した電気的ノイズが、前記電子機器収納ラック内の他の電子機器に伝播することも防止することができ、さらには、組立簡易性を備えた電子機器収納ラックを提供することを課題とする。
【課題を解決するための手段】
【０００７】
上記課題を解決するために、本考案は、電子機器を載置する棚板と、前記棚板を支持するための支柱とを備える電子機器収納ラックにおいて、前記棚板および前記支柱のうち少なくとも一方は絶縁体であることを特徴とする。
【０００８】
ここで、棚板のみを絶縁体とする場合、電子機器収納ラックの外部で発生する電気的ノイズは支柱までは伝播するものの、絶縁体である前記棚板には伝播しないため、前記棚板に載置された電子機器にはその悪影響がおよばない。
また、前記電子機器収納ラック内の電子機器により発生する電気的ノイズにおいては、直に接している前記棚板を絶縁体としているため、当該電気的ノイズが前記電子機器収納ラックを構成する他の部材に伝播することはなく、前記電子機器収納ラック内の他の電子機器に与える悪影響を防止することができる。
【０００９】
一方、支柱のみを絶縁体とする場合、電子機器収納ラック外部で発生する電気的ノイズは、絶縁体である前記支柱およびその内側で構成される棚板には伝播しないため、前記電子機器収納ラック内の電子機器にはその悪影響がおよばない。
また、前記電子機器収納ラック内の電子機器により発生する電気的ノイズにおいては、前期棚板には伝播するものの、絶縁体である前記支柱には伝播しないため、前記電子機器収納ラック内の他の電子機器に与える悪影響を防止することができる。
【００１０】
また、棚板および支柱の両方を絶縁体とする場合、上述した電気的ノイズの遮蔽をさらに確実なものとすることができる。どちらの部材を絶縁体にするかは、載置する電子機器の重量、コスト等を考慮して適宜設計変更することができる。
【００１１】
また、前記電子機器収納ラックは最低限必要な部材のみから構成されているため、部品点数が不要に多くなることはなく、組立工数も削減されることから、組立簡易性も具備した構造となっている。
【００１２】
なお、絶縁体は耐久性・衝撃性・軽量性に優れた塩化ビニル樹脂であることが好ましい。また、前記絶縁体は電子機器を載置するうえでの耐久性を担保したものであれば他の素材の絶縁体であってもよい。例えば、前記絶縁体はポリカーボネートやテフロン（登録商標）であってもよく、電子機器の重量、コスト等を考慮して適宜設計変更することができる。
【考案の効果】
【００１３】
以上述べたように、電子機器を載置する棚板および前記棚板を支持する支柱のうち少なくとも一方を絶縁体とすることで、地中やアースラインを介して伝播する電気的ノイズ及び棚板等の電子機器収納ラック部材を介して伝播する電気的ノイズが、前記電子機器収納ラック内の電子機器には伝達しない構造となっているため、前記電子機器におよぶ悪影響を防止することができる。また、必要最低限の部材を有効利用することで、組立簡易性も有した電子機器収納ラックを提供することができる。
【考案を実施するための最良の形態】
【００１４】
以下、添付図面を参照しつつ、本考案の実施の形態を詳細に説明する。なお、説明において、同一要素には同一の符号を用い、重複する説明は省略するものとする。
【００１５】
1．全体構成
図１は本考案に係る電子機器収納ラックの一実施形態を表す斜視図であり、図２は同横断面図、図３は図２のＡ−Ａ断面図である。これらの図に示す電子機器収納ラック１は、外体部２とこれに内包された内体部３とを備えている。外体部２には、ドア２ｄ及び安全等を目的とした法令を遵守するため、アースライン２ｍが設けられている。また、外体部２の底面２ａの四隅には、硬質塩化ビニル樹脂からなるレベルフット２ｎが設けられており、地中から外体部２が浮いた格好となっている。一方、内体部３は、この外体部２に内包された構造となっており、外体部２の内部四隅に支柱４、４、・・・が立設され、この支柱４が棚板５、５、・・・を水平に支持し内体部３を構成している。
【００１６】
本実施例においては、内体部３を構成する支柱４は硬質塩化ビニル樹脂からなる絶縁体であり、棚板５は金属製となっている。従って、電子機器収納ラック１の外部で発生した電気的ノイズは、アースライン２ｍを介して外体部２には伝播するものの、内体部３には伝播しない構造となっており、当該電気的ノイズが棚板５に載置された電子機器に及ぼす悪影響を防止することができる。一方、電子機器収納ラック１の内部で発生した電気的ノイズは、電子機器が直に載置されている棚板５には当該電気的ノイズが伝播するものの、支柱４によって遮断されるため、当該電気的ノイズが他の電子機器に及ぼす悪影響を防止することができる。
また、電子機器収納ラック１は最低限必要な部材のみから構成されているため、部品点数が不要に多くなることはなく、組立工数も削減されることから、組立簡易性も具備した構造となっている。
【００１７】
２．各部構成
（１）外体部２
外体部２は、支柱４及び棚板５からなる内体部３を包み込む外装体としての役割と、支柱４の倒れを防ぐべく、これらを保持する構造体としての役割を果たす。具体的には、図１乃至図３に示すように、底パネル２ａの四隅にアルマイト処理されたアルミニウム又はアルミニウム合金からなる縦柱体２ｂが立設され、上部には天井パネル２ｃが冠されている。また、前面、側面、後面はそれぞれドア２ｄ、側パネル２ｅ、後パネル２ｆで塞がれた格好となっている。また、天井パネル２ｃ、側パネル２ｅ、後パネル２ｆの材質はいずれも鋼である。そして、内体部３の各支柱４は、断面ハット形のブラケット２ｇ（図２参照）によって上端部及び下端部で縦柱体２ｂに固定されるとともに、横架材２ｈ（図３参照）によって中間高さで縦柱体２ｂに固定されている。
【００１８】
また、電子機器収納ラック１に収納される電子機器から発生する熱が外体部２の内部にこもらないように、底パネル２ａ、天井パネル２ｃ、後パネル２ｆにはそれぞれ通気孔２ｉ、２ｊ、２ｋが穿設されており、必要に応じて通気扇（図示せず）が設置される。
【００１９】
また、ドア２ｄの前面開口部には半透明のアクリル板が嵌め込まれており、ドア２ｄを閉じた状態であっても電子機器収納ラック１内部に収納されている電子機器類を外側から判別することができるようになっている。
【００２０】
また、底パネル２ａの四隅には硬質塩化ビニル樹脂からなるレベルフット２ｎが設けられており、地面から電子機器収納ラック１が浮いた格好となっている。このような構造とすることで、地中から伝わる電気的ノイズを遮断することができる。
【００２１】
また、一定規格以上の電子機器具に関しては、これを大地と同電位に保つように設置しなければならない旨の規定が法令に定められており、この条件を満たすために外体部２の一部、ここでは外体部２の後パネル２ｆにアースライン２ｍが設けられている。
【００２２】
（２）内体部３
内体部３を構成する支柱４は、棚板５を水平に支持する役割を果たし、硬質塩化ビニル樹脂からなるものである。図４に示すように、支柱４は縦柱体となっており、側面の上下方向には溝４ａが設けられていて、この溝４ａには取り外し可能なバーナット４ｂが挿入される。このバーナット４ｂには上下方向等間隔にビス孔４ｅが穿設されており、このビス孔４ｅにより棚板５を所定の高さで支持することが可能となる。
また、内体部３を構成する棚板５は、電子機器を載置するものであり、具体的には図５に示すように金属製長方形板材の１辺を断面コの字形に折り曲げ加工したものである。棚板５の両端にはビス孔がそれぞれ３箇所ずつ設けられており、棚板５とガイドレール５ａとをビス止めする。
ガイドレール５ａはアルミニウム又はアルミニウム合金からなり、断面逆Ｌ字型の上側には棚板５に対応するビス孔用溝が縦長方向に設けられており、ガイドレール５ａ上であれば任意の位置で棚板５を固定できる。また、ガイドレール５ａの側面両端には支柱４と固定するためのビス孔が２箇所ずつ設けられている。
【００２３】
（３）絶縁体
本実施例における絶縁体は、耐久性・衝撃性・軽量性等に優れた硬質塩化ビニル樹脂を採用している。しかし、これに限定されるものではなく、電子機器を収納するうえでの耐久性を担保するものであれば、軟質塩化ビニル樹脂でもよく、また、他の素材の絶縁体であってもよい。例えば、耐衝撃性・透明性等に優れたポリカーボネートや、加工性等に優れたテフロン（登録商標）を用いても同様の効果を発揮できるため、電子機器の重量、コスト等を考慮して適宜選択すればよい。
【００２４】
（４）内体部の他の形態
また、内体部の他の実施形態として、以下の例がある。以下の形態を構成する支柱４、落とし込み式支柱４ｃ（図６、９参照）は硬質塩化ビニル樹脂からなるものである。この支柱４及び落とし込み式支柱４ｃを絶縁体とすることで、電気的ノイズ遮断効果を発揮することができる。
なお、当然以下の引き出し式棚板５ｂ、落とし込み式棚板５ｆに係る各部材を絶縁体とすることで、さらにその効果を確実なものとすることができる。
【００２５】
（ア）引き出し式
図６に示すように、対になる取り付けブラケット５ｃをそれぞれ水平になるよう支柱４にビス止めし、このブラケット５ｃにスライドレール５ｄを架設するように構成されている。引き出し式棚板５ｂの両端にはスライドレール５ｄを摺動させるシャーシ５ｅが設けられており、シャーシ５ｅをスライドレール５ｄに嵌挿させることで、引き出し式棚板５ｂは左右方向にぶれることがなく、出し引きが可能となる。
【００２６】
（イ）落とし込み式
図７、図９に示すように、落とし込み式支柱４ｃには上下方向等間隔に切り込み４ｄが設けられており、この切り込み４ｄは後下方向略４５゜で形成されている。
一方、図８に示すように、落とし込み棚板５ｆは、金属製長方形板の４隅をコの字型に折り曲げ加工し、両端に係止具５ｈが突出した金属性シャフト５ｇをその側面に水平貫通させたものである。
切り込み４ｄは係止具５ｈよりも僅かに大きくなっており、図９に示すように、この係止具５ｈを電子機器収納ラック１の手前から奥に向けて、切り込み４ｄに落とし込むことで落とし込み式棚板５ｆが落とし込み式支柱４ｃに係止されることになる。
【００２７】
３．その他の構造
以上の説明は本考案に係る電子機器収納ラックの各形態を示したが、実用新案登録請求の範囲において様々な変更が可能である。例えば、外体部２の構造、形状、材料等は自由に定めることができるし、外体部２がない構造であってもよい（図１０参照）。このような構造であっても、支柱４およびオープンラック式棚板５ｉのうち少なくとも一方を絶縁体とすることで、本考案と同様の効果を発揮することができる。
【図面の簡単な説明】
【００２８】
【図１】本考案における電子機器収納ラックの一実施形態を示す斜視図である。
【図２】図１の横断面図である。
【図３】図２のＡ−Ａ縦断面図である。
【図４】支柱４を表す斜視図である。
【図５】棚板５を表す斜視図である。
【図６】引き出し式ラックを示した斜視図である。
【図７】落とし込み式支柱４ｃの側面拡大図である。
【図８】落とし込み式棚板５ｃの斜視図である。
【図９】落とし込み式ラックを示した斜視図である。
【図１０】オープン式ラックを示した斜視図である。
【符号の説明】
【００２９】
１    ・・・電子機器収納ラック
２    ・・・外体部
２ａ  ・・・底パネル
２ｂ  ・・・縦柱体
２ｃ  ・・・天井パネル
２ｄ  ・・・ドア
２ｅ  ・・・側パネル
２ｆ  ・・・後パネル
２ｇ  ・・・ブラケット
２ｈ  ・・・横架材
２ｉ、２ｊ、２ｋ  ・・・通気孔
２ｍ  ・・・アースライン
２ｎ  ・・・レベルフット
３    ・・・内体部
４    ・・・支柱
４ａ  ・・・溝
４ｂ  ・・・バーナット
４ｃ  ・・・落としこみ式支柱
４ｄ  ・・・切り込み
４ｅ  ・・・ビス孔
５    ・・・棚板
５ａ  ・・・ガイドレール
５ｂ  ・・・引き出し式棚板
５ｃ  ・・・ブラケット
５ｄ  ・・・スライドレール
５ｅ  ・・・シャーシ
５ｆ  ・・・落とし込み式棚板
５ｇ  ・・・シャフト
５ｈ  ・・・係止具
５ｉ  ・・・オープンラック式棚板
【図１】
0003114421.tif 000003
【図２】
0003114421.tif 000004
【図３】
0003114421.tif 000005
【図４】
0003114421.tif 000006
【図５】
0003114421.tif 000007
【図６】
0003114421.tif 000008
【図７】
0003114421.tif 000009
【図８】
0003114421.tif 000010
【図９】
0003114421.tif 000011
【図１０】
0003114421.tif 000012